(57)【特許請求の範囲】
【請求項１】
画像を表す情報を与える手段と、該画像を表す情報から、該画像の輪郭を表す情報を生成する手段と、輪郭部Ｒの形成位置を選択するための輪郭種類指定釦の選択により、前記輪郭を表す情報に基づいて、輪郭部（Ｒ）を表す輪郭データを輪郭部（Ｒ）が外形線Ｌの内側又は外側又は内側と外側に跨るうちの何れか１つを形成するようにした輪郭部生成手段（４）と、前記画像を表す情報から生成される画像部の縫い目データが輪郭部（Ｒ）の形成位置に対応して画像部（Ｇ）の大きさも変えて生成する画像部縫い目データ生成手段（６）とを備え、前記画像と輪郭の境界部において、画像の縫い目と輪郭の縫い目を重複するように縫い目データを生成するようにしたこと、を特徴とする刺繍縫い可能なミシンの刺繍模様データ生成装置。
【請求項２】
前記画像の輪郭を表す情報に基づいてミシンの刺繍縫いを行うための縫い目データを生成するための手段が、所定の基準位置に基づいて放射状の縫い目データを生成する、請求項１に記載の刺繍縫い可能なミシンの刺繍模様データ生成装置。
【請求項３】
前記請求項１又は２に記載の刺繍模様データ生成装置を備えた刺繍縫い可能なミシン。
【発明の詳細な説明】
【０００１】
【産業上の利用分野】
この発明は刺繍縫い可能なミシンの刺繍模様データ生成装置に関する。
【０００２】
【従来の技術】
刺繍縫い可能なミシンに用いられる刺繍模様データは、通常メーカ等が人手により模様に適合した模様データを作成し、メモリカード等を用いてユーザに供給するのが普通である。
しかし、このようなメーカ側が供給する模様だけではなく、ユーザの好みの模様の刺繍が可能になる装置の要望があり、そのためユーザがスキャナ等を用いて好みの画像を読み取り、該画像データから刺繍模様データを生成する装置が開発され普及しつつある。
【０００３】
【発明が解決しようとする課題】
しかし、このような刺繍模様データ生成装置においては、画像に適合した縫い目を作成することが難しく、画一的に水平方向や斜め方向等の一定方向の縫い目データを形成するため、生成される縫い目データが画像に適合しないことがしばしば生ずる欠点があり、特に画像の輪郭部分において、適合しない縫い目が表れやすい問題があった。
またメーカが供給する模様の場合、画像の輪郭に所定幅の輪郭線を形成する場合が多く、このような輪郭線を入れることにより刺繍模様がきれいに仕上がるが、刺繍模様データを生成する装置ではこのような輪郭線を入れることは不可能であった。
本発明は上記した従来技術の現状を解決するためになされたもので、輪郭線を生成できる装置及び方法を提供し、これにより画像の輪郭に表れる適合しない縫い目の欠点を補うと共に輪郭線を入れることにより積極的に外観の優れた刺繍を実現できるようにすることを目的とするものである。
【０００４】
【課題を解決するための手段】
そこで発明者は、前記課題を解決すべく、鋭意、研究を重ねた結果、その発明を、画像を表す情報を与える手段と、該画像を表す情報から、該画像の輪郭を表す情報を生成する手段と、輪郭部Ｒの形成位置を選択するための輪郭種類指定釦の選択により、前記輪郭を表す情報に基づいて、輪郭部（Ｒ）を表す輪郭データを輪郭部（Ｒ）が外形線Ｌの内側又は外側又は内側と外側に跨るうちの何れか１つを形成するようにした輪郭部生成手段（４）と、前記画像を表す情報から生成される画像部の縫い目データが輪郭部（Ｒ）の形成位置に対応して画像部（Ｇ）の大きさも変えて生成する画像部縫い目データ生成手段（６）とを備え、前記画像と輪郭の境界部において、画像の縫い目と輪郭の縫い目を重複するように縫い目データを生成するようにしたことにより課題を解決した。
また、本発明は、前記画像の輪郭を表す情報に基づいてミシンの刺繍縫いを行うための縫い目データを生成するための手段が、所定の基準位置に基づいて放射状の縫い目データを生成することにより課題を解決した。
また、本発明は、前記記載の刺繍模様データ生成装置を備えた刺繍縫い可能なミシンとすることにより課題を解決した。
【０００５】
【実施例】
以下本発明の実施例を図面に基づいて説明する。
図１において、この刺繍模様データ生成装置Ｘは画像情報付与手段１を備えている。この画像情報付与手段１は例えばＣＡＤ等を用いて作成されたデータを付与する手段や、原画を読み取って画像データを得る装置などを備えることが可能である。
実施例では画像情報付与手段１はスキャナ等の読み取り手段３を有しており、この読み取り手段３によりユーザの所望の原画を読みとって、画像データを出力できるようになっている。この画像データは縫い目データ生成手段２に供給されるようになっている。
【０００６】
縫い目データ生成手段２において、画像データは画像部縫い目データ生成手段６に入力されると共に、ユーザの希望等に対応して輪郭部生成手段４に入力されるようになっている。
輪郭部生成手段４においては、画像データに基づいて画像の輪郭データが生成されるように構成されている。
例えば図６に示すように、原画の画像データが画像情報付与手段１から供給されると、画像部縫い目データ生成手段６に原画に対応する画像部Ｇを表すデータがそのまま供給されると共に、輪郭部生成手段４において画像部Ｇの外形線Ｌに沿って輪郭部Ｒを表す輪郭データが生成されるようになっている。
この輪郭部Ｒは、所定の幅を備えており、該幅は画像部Ｇの外形線Ｌの外側でも内側でもどちら側にとっても良い。また内側と外側に跨るように輪郭部Ｒの幅をとることも可能である。
図７の（Ａ）では輪郭部Ｒが外形線Ｌの外側と内側に跨って形成されている。（Ｂ）では輪郭部Ｒが外形線Ｌの外側に形成され、（Ｃ）では輪郭部Ｒが外形線Ｌの内側に形成されている。このような輪郭部Ｒの形成位置に対応して画像部Ｇの大きさも変えるようになっている。
【０００７】
輪郭部生成手段４で生成された輪郭部Ｒの画像データは輪郭部縫い目データ生成手段５に入力されて輪郭部の縫い目データが生成されるようになっている。
一方画像部縫い目データ生成手段６においても画像部の縫い目データが生成されるようになっている。
図８に縫い目データの一例を示す。
（Ａ）に示す例では、画像部Ｇにおいてはほぼ水平方向の縫い目が形成され、輪郭部Ｒにおいては仮想中心Ｐを設定し、ここから放射状に縫い目を形成するようになっている。幅の狭い輪郭部Ｒにおいては、放射状の縫い目が適合するからである。
（Ｂ）においては、上記構成に加えて輪郭部Ｒの縫い目と画像部Ｇの縫い目が境界部において重なり合うようになっている。このような縫い目とすることにより、輪郭部Ｒと画像部Ｇとの間に隙間が形成されることを防ぐことが出来る。また、洗濯等による縮みにより輪郭部Ｒと画像部Ｇの間に隙間が生ずることを防止できる効果がある。
図８の（Ｂ）に示す縫い目は、輪郭部縫い目データ生成手段５又は画像部縫い目データ生成手段６における縫い目形成の際に重複するようにしても良いし、或いは図７の（Ａ）に示すように輪郭部Ｒを原画の外形線Ｌに跨るように形成し、かつ画像部Ｇを原画と同一の大きさに形成して、輪郭部Ｒの幅一杯に縫い目を形成させることにより画像部Ｇとの重複部分を設けるようにしても良い。
【０００８】
上記したようにこの実施例では、従来と同様に輪郭部Ｒを形成せずに画像部Ｇのみの縫い目データ形成も選択できるようになっている。
また、輪郭部Ｒと画像部Ｇにおける縫い目データはそれぞれ独立しており、どちらか一方のみのデータを用いて縫い目を形成させることも可能である。例えば図６の原画を用いて輪郭部Ｒのみの刺繍模様を形成することも、画像部Ｇのみの模様を形成することも可能になっている。
【０００９】
この実施例では更に、表示データ生成手段１１と表示手段１２を備えており、読み取り手段３で読み取った画像及び輪郭部生成手段４で生成した輪郭部Ｒを表示手段１２に表示できるようになっている。
【００１０】
輪郭部縫い目データ生成手段５或いは画像部縫い目データ生成手段６で生成した縫い目データ及び表示データ生成手段１１で生成した表示データは記憶媒体１４に記憶し、ミシン側で記憶媒体１４に記憶されたデータを読み出して刺繍縫いを実行するように構成されている。或いは直接ミシン本体１３に送られて、刺繍縫いに供されるように構成されている。
【００１１】
なお、上記した刺繍模様データ生成装置Ｘは、装置単独で構成しても良いし、或いはミシン本体に組み込んでも良い。また、一部をミシン本体に組み込んで、残りの一部を独立の装置とするなど、種々の態様を採用可能である。
【００１２】
図２はこの刺繍模様データ生成装置Ｘをマイクロコンピュータを主体に構成した具体的なハード構成図であり、図３はこのデータ生成装置Ｘの外観斜視図、図４はその主要部の拡大平面図である。
図３に示すようにデータ生成装置Ｘの蓋をあけると、表示装置３１が表れ、該データ生成装置Ｘに接続してスキャナ３０が設けられている。
【００１３】
このスキャナ３０は図２に示すように中央演算処理装置２０に接続されており、読み取った原画の画像データを中央演算処理装置２０に出力して一時記憶装置２７に一時記憶するようになっている。
原画は原画載置部４０上に載置され、図４に示すように手動でスキャナボタン４１を押しつつスキャナ３０を上から下へスキャンさせて画像を読み込むようになっている。
【００１４】
中央演算処理装置２０には輪郭生成指定釦３２が備えられており、ユーザが原画の外形線Ｌに沿って輪郭部Ｒを生成したい場合には、この輪郭生成指定釦３２を押して輪郭部Ｒを生成できるようになっている。中央演算処理装置２０は輪郭生成指定釦３２の操作があった場合には、輪郭部生成プログラム記憶装置２１に格納されたプログラムに従って、一時記憶装置２７に格納された画像の輪郭部Ｒを生成し、一時記憶装置２７に格納するようになっている。なお、図７の（Ａ）又は（Ｃ）の輪郭部Ｒが形成される場合には、画像部Ｇもそれに対応して大きさが変わるようになっている。
また中央演算処理装置２０には輪郭種類指定釦３３が備えられており、図７に示すように、輪郭部Ｒの形成位置を選択できるようになっている。
輪郭生成指定釦３２と輪郭種類指定釦３３は図３又は図４に示すように表示装置３１の右脇に設置されている。
【００１５】
輪郭生成が終了すると、中央演算処理装置２０は輪郭部縫い目データ生成プログラム記憶装置２２に格納されたプログラムに従って輪郭部Ｒの縫い目データを生成する。この実施例では図８の（Ｂ）に示すように仮想中心Ｐに基づいて放射状の縫い目を形成し、しかも画像部Ｇと重複する縫い目を形成するように構成されている。
また、同時に画像部縫い目データ生成プログラム記憶装置２３に格納されたプログラムに従って、画像部Ｇにおける縫い目データを生成する。この実施例では画像部Ｇにおいては水平方向の縫い目を形成するようになっている。
なお、輪郭生成指定釦３２により輪郭部Ｒ生成が選択されなかった時は、従来の通常の場合と同様に画像部縫い目データ生成プログラム記憶装置２３のプログラムに従って画像部Ｇの縫い目データを生成するようになっている。
【００１６】
中央演算処理装置２０は同時に画像表示データ生成プログラム記憶装置２６により表示データを生成し、表示装置３１に表示するようになっている。また生成された輪郭部Ｒも表示データに変換され、表示装置３１に表示されるように構成されている。
【００１７】
上記生成された縫い目データ及び表示データは縫い目データ／表示データ記憶装置３４に格納されるようになっている。
縫い目データ／表示データ記憶装置３４はこの実施例ではＲＡＭカード等の着脱可能なものになっており、生成装置Ｘから取り外してミシン本体に装着できるようになっている。
【００１８】
データ記憶装置３４は図３及び図４に示すようにカードスロット４４において着脱可能になっており、縫い目データと表示データとを記憶させたら、カードスロット４４から引き抜いて図９に示すようにミシン本体ＹのＲＡＭカード読取部４５に装着して、刺繍縫いに供するように構成されている。また表示データはミシン本体Ｙの表示部４６の表示にも用いられるようになっている。
【００１９】
図５により動作を説明する。輪郭生成指定釦３２により輪郭部Ｒ生成を選択した場合の動作を説明する。
スキャナ３０により画像を読み取ると（ステップＳ１）、該画像データが一時記憶装置２７に一時記憶され（ステップＳ２）、画像表示データ生成プログラム記憶装置２６のプログラムにより該画像データから表示データが生成され、表示装置３１に表示されると共に縫い目データ／表示データ記憶装置３４に格納される（ステップＳ３）。データの再入力があるか否か判定し（ステップＳ４）、再入力がある場合にはステップＳ１に戻る。
再入力がない場合には、輪郭生成指定釦３２の操作があったか否か確認し（ステップＳ５）、操作がなかった場合には画像部Ｇの縫い目データが生成される（ステップＳ１０）。
ステップＳ５で輪郭部Ｒ生成の操作があった場合には、輪郭部Ｒが生成され、同時に画像部Ｇが輪郭部Ｒの位置に対応して修正される（ステップＳ６）。そして、該輪郭部Ｒの表示データを作成し（ステップＳ７）、前記した仮想中心Ｐを算出し（ステップＳ８）、輪郭部Ｒにおける放射状の縫い目データを生成する（ステップＳ９）。そして、ステップＳ６で画像部Ｇの縫い目データを生成する。そして、上記で生成した表示データ及び縫い目データを縫い目データ／表示データ記憶装置３４に記憶させて（ステップＳ１１）、動作を終了する。
【００２０】
【発明の効果】
以上説明したように本発明の刺繍縫い可能なミシンの刺繍模様データ生成装置及び方法によれば、読み取った画像の輪郭部を生成することが可能であり、この輪郭部の縫い目データを別個に生成できるから、優れた刺繍縫い目を実現できる効果がある。
【図面の簡単な説明】
【図１】本発明の一実施例を示す機能ブロック図。
【図２】本発明の一実施例を示すハード構成図。
【図３】本発明の一実施例の外観斜視図。
【図４】本発明の一実施例の外観部分正面図。
【図５】本発明の一実施例の動作を示すフローチャート図。
【図６】本発明の一実施例における輪郭部Ｒ生成の説明図。
【図７】本発明の一実施例における輪郭部Ｒの種類の説明図。
【図８】本発明の一実施例の縫い目形成状態の説明図。
【図９】本発明の一実施例のデータ記憶装置の装着態様を説明するためのミシン本体外観図。
【符号の説明】
１：画像情報付与手段、２：縫い目データ生成手段、３：読み取り手段、４：輪郭部生成手段、５：輪郭部縫い目データ生成手段、６：画像部縫い目データ生成手段、１１：表示データ生成手段、１２：表示手段、１３：ミシン本体、１４：記憶媒体、２０：中央演算処理装置、２１：輪郭部生成プログラム記憶装置、２２：輪郭部縫い目データ生成プログラム記憶装置、２３：画像部縫い目データ生成プログラム記憶装置、２４：表示データ生成プログラム記憶装置、２７：一時記憶装置、３０：スキャナ、３１：表示装置、３２：輪郭生成指定釦、３３：輪郭種類指定釦、３４：縫い目データ／表示データ記憶装置、４０：原画載置部、４１：スキャナボタン、４２：ＲＡＭカード取出し釦、４３：電源スイッチ、４４：カードスロット、４５：ＲＡＭカード読取部、４６：表示部。
【図１】
0003973054.tif 000002
【図２】
0003973054.tif 000003
【図３】
0003973054.tif 000004
【図９】
0003973054.tif 000005
【図４】
0003973054.tif 000006
【図５】
0003973054.tif 000007
【図６】
0003973054.tif 000008
【図７】
0003973054.tif 000009
【図８】
0003973054.tif 000010